(57)【要約】      （修正有）【課題】粘着シールを貼る楽しみを与えることが可能なシール玩具を提供する。【解決手段】絵柄が印刷された台紙５と、絵柄と関連する絵柄を有する複数の粘着シール７が剥離可能に貼付けられた剥離シート６とを備える。台紙５の絵柄には、粘着シール７を貼付けるための第１〜第６の空所が形成されている。剥離シート６は、透明なシートによって形成され、台紙５の絵柄印刷面に重ねられる。台紙５と剥離シート６とは、この剥離シート６を台紙５に対してめくることができるように、一端部どうしが綴じられている。【選択図】図２
0003179946.tif 000002
【実用新案登録請求の範囲】
【請求項１】
絵柄が印刷された台紙と、
前記絵柄と関連する絵柄を有する複数の粘着シールが剥離可能に貼付けられた剥離シートとを備え、
前記台紙の絵柄には、前記粘着シールを貼付けるための空所が形成され、
前記剥離シートは、透明なシートによって形成されているとともに、前記台紙の絵柄印刷面に重ねられ、
前記台紙と前記剥離シートとは、この剥離シートを前記台紙に対してめくることができるように、一端部どうしが綴じられていることを特徴とするシール玩具。
【請求項２】
請求項１記載のシール玩具において、前記複数の粘着シールは、前記台紙の絵柄における前記空所によって欠落された欠落部分を絵柄とする粘着シールを含んでいることを特徴とするシール玩具。
【請求項３】
請求項２記載のシール玩具において、前記欠落部分を絵柄とする粘着シールの形状は、前記空所の形状と同一の形状に形成されていることを特徴とするシール玩具。
【請求項４】
請求項１記載のシール玩具において、前記複数の粘着シールは、前記剥離シートが前記台紙に重ねられた状態で前記台紙の絵柄の上に位置し、かつこの台紙の絵柄とは異なる絵柄が設けられた粘着シールを含んでいることを特徴とするシール玩具。
【請求項５】
請求項４記載のシール玩具において、前記台紙の絵柄は、特定のキャラクターを示すものであって、かつ前記キャラクターの特徴を説明する説明文を含むものであり、
前記台紙の絵柄とは異なる絵柄が設けられた粘着シールは、前記剥離シートが前記台紙に重ねられた状態で前記説明文と重なる位置に位置付けられていることを特徴とするシール玩具。
【請求項６】
請求項１ないし請求項５のうちいずれか一つに記載のシール玩具において、前記台紙の絵柄はカレンダーを含み、
前記カレンダーには日付毎に前記空所が設けられ、
前記複数の粘着シールは、前記日付毎の空所に貼付可能な大きさの粘着シールを含んでいることを特徴とするシール玩具。
【請求項７】
請求項６記載のシール玩具において、前記空所に貼付可能な大きさの粘着シールは、前記台紙に重ねられた剥離シートにおける前記日付毎の空所と重なる位置に設けられていることを特徴とするシール玩具。
【考案の詳細な説明】
【技術分野】
【０００１】
本考案は、粘着シールを貼り付ける台紙と、粘着シールを有する剥離シートとを備えたシール玩具に関するものである。
【背景技術】
【０００２】
従来、絵柄を有する粘着シールを台紙の所定の位置に貼り付けて遊ぶことができるものとしては、例えば特許文献１に記載されたシール付き知育絵本がある。特許文献１に開示されたシール付き知育絵本は、粘着シールを貼り付けるための台紙と、多数の粘着シールを有する剥離シートとを備えている。
【０００３】
前記台紙には、粘着シールを貼り付けるための多数の空所を形成する枠が印刷されている。前記粘着シールは、所定の絵柄が設けられており、剥離シートに剥離可能に貼り付けられている。粘着シールの絵柄は、一つの絵柄を粘着シールの枚数と同数に分割したものである。すなわち、全ての粘着シールを台紙に貼り付けることによって、一つの絵柄が完成する。
【先行技術文献】
【特許文献】
【０００４】
【特許文献１】特開平８−２０６３７０号公報
【考案の概要】
【考案が解決しようとする課題】
【０００５】
しかしながら、特許文献１に開示された絵本では、幼児や児童に楽しみを与えることは難しいという問題があった。この理由は、全ての粘着シールを台紙に貼らなければ絵柄が完成しないし、見て楽しむことができないからである。
【０００６】
本考案はこのような問題を解消するためになされたもので、粘着シールを使用して楽しみを与えることが可能なシール玩具を提供することを目的とする。
【課題を解決するための手段】
【０００７】
この目的を達成するために、本考案に係るシール玩具は、絵柄が印刷された台紙と、前記絵柄と関連する絵柄を有する複数の粘着シールが剥離可能に貼付けられた剥離シートとを備え、前記台紙の絵柄には、前記粘着シールを貼付けるための空所が形成され、前記剥離シートは、透明なシートによって形成されているとともに、前記台紙の絵柄印刷面に重ねられ、前記台紙と前記剥離シートとは、この剥離シートを前記台紙に対してめくることができるように、一端部どうしが綴じられていることを特徴とするものである。
【０００８】
本考案は、前記考案において、前記複数の粘着シールは、前記台紙の絵柄における前記空所によって欠落された欠落部分を絵柄とする粘着シールを含んでいることを特徴とする。
【０００９】
本考案は、前記考案において、前記欠落部分を絵柄とする粘着シールの形状は、前記空所の形状と同一の形状に形成されていることを特徴とする。
【００１０】
本考案は、前記考案において、前記複数の粘着シールは、前記剥離シートが前記台紙に重ねられた状態で前記台紙の絵柄の上に位置し、かつこの台紙の絵柄とは異なる絵柄が設けられた粘着シールを含んでいることを特徴とする。
【００１１】
本考案は、前記考案において、前記台紙の絵柄は、特定のキャラクターを示すものであって、かつ前記キャラクターの特徴を説明する文字を含むものであり、前記台紙の絵柄とは異なる絵柄が設けられた粘着シールは、前記剥離シートが前記台紙に重ねられた状態で前記文字と重なる位置に位置付けられていることを特徴とする。
【００１２】
本考案は、前記考案において、前記台紙の絵柄はカレンダーを含み、前記カレンダーには日付毎に前記空所が設けられ、前記複数の粘着シールは、前記日付毎の空所に貼付可能な大きさの粘着シールを含んでいることを特徴とする。
【００１３】
本考案は、前記考案において、前記空所に貼付可能な大きさの粘着シールは、前記台紙に重ねられた剥離シートにおける前記日付毎の空所と重なる位置に設けられていることを特徴とする。
【考案の効果】
【００１４】
本考案によれば、剥離シートに貼付けられている粘着シールを剥がし、剥離シートをめくった状態で台紙に貼って遊ぶことができる。粘着シールには台紙の絵柄と関連した絵柄が設けられているから、粘着シールを台紙に貼るときに粘着シールの絵柄と台紙の絵柄とを見て絵柄に関する物語を想像しながら行うことができる。また、剥離シートを通して台紙を見ることができるから、全てのシールを台紙に貼ることなく台紙の絵柄とシールの絵柄とを重ねて見ることができる。
したがって、本考案によれば、シールを台紙に貼る楽しみと、台の絵柄とシールの絵柄とを見る楽しみとを与えることが可能なシール玩具を提供することができる。
【図面の簡単な説明】
【００１５】
【図１】本考案に係るシール玩具としての卓上カレンダーの斜視図で、同図は、粘着シールを剥離シートから剥離させる以前の状態を示している。
【図２】本考案に係るシール玩具としての卓上カレンダーの斜視図で、同図は、剥離シートをめくった状態を示している。
【図３】台紙の正面図である。
【図４】剥離シートの正面図である。
【図５】台紙に剥離シートを重ねた状態の台紙と剥離シートの正面図である。
【考案を実施するための形態】
【００１６】
以下、本考案に係るシール玩具の一実施の形態を図１〜図５によって詳細に説明する。ここでは、本考案に係るシール玩具を卓上カレンダーによって構成する場合の一例を説明する。
【００１７】
図１に示す卓上カレンダー１は、スタンド２と、このスタンド２に支持された複数のカレンダー本体３とによって構成されている。スタンド２は、側方から見て三角形状に形成されており、机（図示せず）などの上に載せられる底板２ａと、この底板２ａから斜め上方に延びる前面板２ｂおよび背面板２ｃとを有している。この実施の形態によるスタンド２は、紙またはプラスチックなどからなるシート材を折り曲げることによって形成されている。
【００１８】
このスタンド２の上端部には、複数のリング４が取付けられている。これらのリング４は、前記前面板２ｂの上端部と背面板２ｃの上端部とを互いに連結する機能と、後述するカレンダー本体３を支持する機能とを有している。
前記複数のカレンダー本体３は、この実施の形態においては月毎に１年分設けられている。各カレンダー本体３は、図２に示すように、台紙５と、この台紙５の上（前）に重なるように構成された透明な剥離シート６とによって構成されている。
【００１９】
この剥離シート６は、詳細は後述するが、複数の粘着シール７を保持するためのものである。この卓上カレンダー１においては、１月用の剥離シート６の後方（裏側）に１月用の台紙５が重ねられ、この台紙５の後方（裏側）に２月用の剥離シート６と台紙５とがこの順に重ねられている。２月用の剥離シート６と台紙５の後方には、３月〜１２月用の剥離シート６と台紙５とが月毎に重ねられている。
【００２０】
前記台紙５は、図３に示すように、正面視において横長の長方形状に形成されている。この台紙５の上端部には、前記リング４を通すための複数の穴１１が形成されている。この台紙５の前面５ａには、絵柄１２が全面にわたって印刷されている。台紙５の絵柄１２は、特定のキャラクター１３を示すものである。この絵柄１２には、キャラクター１３と、キャラクター１３に関連する背景１４と、キャラクター１３の特徴を説明する説明文１５と、１ヶ月分のカレンダー１６とが含まれている。
【００２１】
台紙５の絵柄１２に含まれているキャラクター１３は、台紙５の一側部（図３においては左側の端部）に位置付けられており、輪郭のみが分かるように第１の空所１７として描かれている。この第１の空所１７は、背景１４と明確に区別できるように、予め定めた色で塗り潰されている。
【００２２】
前記説明文１５は、前記キャラクター１３の下に記載されている。
前記カレンダー１６は、台紙５における前記キャラクター１３および説明文１５と重なることがない他の部位に設けられている。この実施の形態によるカレンダー１６は、年を示す文字１８と、月を示す文字１９と、曜日を示す文字２０と、日付を示す文字２１と、日付毎の四角形の第２の空所２２とによって構成されている。日付を示す文字２１と、日付毎の第２の空所２２とは、それぞれ日曜から土曜まで横に一列に並べられており、曜日毎に縦に並べられている。日付毎の第２の空所２２は、丸みを帯びた四角形状に形成されており、文字を記入したり、粘着シール７を貼付けることができように、例えば白色で塗り潰されている。
【００２３】
図３に示すカレンダー１６は、２０１３年の１月分のものである。このカレンダー１６内で日付の文字がない空所、すなわち、１２月３０日に該当する第３の空所２３と、１２月３１日に該当する第４の空所２４と、２月１日に該当する第５の空所２５と、２月２日に該当する第６の空所２６とは、日付毎の第２の空所２２とは異なり、予め定めた色で塗り潰されている。これらの第３〜第６の空所の形状も、丸みを帯びた四角形状である。
【００２４】
前記剥離シート６は、透明なシートによって正面視において横長の長方形状に形成されており、複数の粘着シール７が剥離可能に貼付けられている。この剥離シート６の大きさは、台紙５の大きさと略等しくなるように形成されている。剥離シート６の上端部には、前記リング４を通すための複数の穴３１が形成されている。すなわち、この剥離シート６と台紙５とは、この剥離シート６を台紙５に対してめくることができるように、一端部（上端部）どうしがリング４によって綴じられている。この実施の形態による剥離シート６は、スタンド２を例えば机（図示せず）に載せて立てることによって、台紙５の絵柄印刷面（前面５ａ）に重なる。
【００２５】
この剥離シート６に貼付けられた前記複数の粘着シール７は、台紙５の絵柄１２と関連する絵柄３２〜３４がそれぞれ印刷されており、剥離シート６の所定位置に剥離可能に貼付けられている。
この実施の形態による前記複数の粘着シール７は、図４において左側の端部に位置する最も大きいキャラクターシール７Ａと、このキャラクターシール７Ａの下に位置するマスクシール７Ｂと、他の相対的に小さい複数のカレンダーシール７Ｃなどによって構成されている。
【００２６】
キャラクターシール７Ａは、台紙５の第１の空所１７に入るキャラクター１３の画像３２ａと、このキャラクター１３の周辺の背景３２ｂとが絵柄３２として印刷されている。キャラクター１３の画像３２ａは、図５に示すように、台紙５に剥離シート６が重ねられた状態において、この剥離シート６における前記第１の空所１７と重なる位置に設けられている。すなわち、キャラクターシール７Ａは、台紙５の絵柄１２における第１の空所１７によって欠落された欠落部分を絵柄とする、本考案の請求項２記載に記載された粘着シールを構成するものである。なお、この実施の形態による台紙５の絵柄１２には、図３に示すように、キャラクターシール７Ａを台紙５に貼るときの位置の目安になる破線Ｌが予め設けられている。
【００２７】
前記マスクシール７Ｂは、図５に示すように、剥離シート６が台紙５に重ねられた状態で台紙５の絵柄１２の上に位置しており、この台紙５の絵柄１２とは異なる絵柄３３が設けられている。また、このマスクシール７Ｂは、台紙５の絵柄１２に設けられた説明文１５と重なる位置に位置付けられている。このため、剥離シート６が台紙５に重ねられている状態においては、図５に示すように、台紙５の説明文１５がマスクシール７Ｂによって隠される。このマスクシール７Ｂは、本考案の請求項４と請求項５とに記載された粘着シールを構成するものである。
【００２８】
前記複数のカレンダーシール７Ｃは、台紙５の日付毎の第２の空所２２に貼付可能な大きさに形成されている。カレンダーシール７Ｃの絵柄３４は、日付毎に異なるように描かれている。これらのカレンダーシール７の形状は、正面視において丸みを帯びた四角形状である。この実施の形態によるカレンダーシール７は、図５に示すように、台紙５に剥離シート６が重ねられた状態において、剥離シート６における台紙５の第２〜第６の空所２２〜２６と重なる位置に設けられている。このため、台紙５に剥離シート６が重ねられた状態においては、粘着シール７が剥離シート６に保持されているにもかかわらず、カレンダー１６の第２〜第６の空所２２〜２６がカレンダーシール７で埋められる。これらのカレンダーシール７は、本考案の請求項６と請求項７とに記載された粘着シールを構成するものである。
【００２９】
これらのカレンダーシール７のうち、台紙５の第３〜第６の空所２３〜２６と重なる位置にあるカレンダーシール７Ｃａ〜７Ｃｄは、図５に示すように、台紙５の絵柄１２における第３〜第６の空所２３〜２６によって欠落された欠落部分を絵柄３４とするものである。また、これらのカレンダーシール７Ｃａ〜７Ｃｄは、図５に示すように、第３〜第６の空所２３〜２６と同一の形状であって、かつ第３〜第６の空所２３〜２６と同一の大きさに形成されている。このため、カレンダーシール７を第３〜第６の空所２３〜２６に貼ることによって、これら空所が絵柄３４で満たされ、台紙５の絵柄１２の欠落が解消されて絵柄１２が完成する。これらのカレンダーシール７Ｃａ〜７Ｃｄは、本考案の請求項２と請求項３とに記載された粘着シールを構成するものである。
【００３０】
このように構成された卓上カレンダー１においては、剥離シート６に貼付けられている粘着シール７を剥がし、剥離シート６をめくった状態で台紙５に貼って遊ぶことができる。粘着シール７には台紙５の絵柄１２と関連した絵柄３２〜３４が設けられているから、粘着シール７を台紙５に貼るときに粘着シール７の絵柄３２〜３４と台紙５の絵柄１２とを見て絵柄１２，３２〜３４に関する物語を創造しながら行うことができる。例えば、この実施の形態によれば、キャラクターシール７Ａを台紙５に貼るときに、キャラクター１３の特徴を考慮して台紙５の背景１４中の貼付位置を決めることができる。
【００３１】
また、この卓上カレンダー１においては、剥離シート６が透明であるから、この剥離シート６を通して台紙５を見ることができる。すなわち、全ての粘着シール７を台紙５に貼ることなく台紙５の絵柄１２と粘着シール７の絵柄３２〜３４とを重ねて見ることができる。
したがって、この実施の形態によれば、粘着シール７を台紙５に貼る楽しみと、台紙５の絵柄１２と粘着シール７の絵柄３２〜３４とを見る楽しみとを与えることが可能な卓上カレンダー１（シール玩具）を提供することができる。
【００３２】
この実施の形態による前記複数の粘着シール７は、台紙５の絵柄１２における第１の空所１７によって欠落された欠落部分を絵柄３２とするキャラクターシール７Ａや、第３〜第６の空所２３〜２６によって欠落された欠落部分を絵柄３４とするカレンダーシール７Ｃａ〜７Ｃｄなどを含んでいる。このため、キャラクターシール７Ａや、カレンダーシール７Ｃａ〜７Ｃｄを第１の空所１７、第３〜第６の空所２３〜２６に貼付けることによって、台紙５の絵柄１２の欠落部分が満たされる。
したがって、この実施の形態によれば、台紙５の絵柄１２を完成させる楽しみを与えることが可能な卓上カレンダー１（シール玩具）を提供することができる。
【００３３】
この実施の形態において、前記欠落部分を絵柄３４とする粘着シール７（カレンダーシール７Ｃａ〜７Ｃｄ）の形状は、第３〜第６の空所２３〜２６の形状と同一の形状に形成されている。
このため、この実施の形態によれば、粘着シール７（カレンダーシール７Ｃａ〜７Ｃｄ）を前記空所に貼るときにシールの形状を空所の形状に合わせることによって絵を合わせることができるから、絵合わせを簡単に行うことが可能な卓上カレンダー１（シール玩具）を提供することができる。
【００３４】
この実施の形態による複数の粘着シール７は、剥離シート６が台紙５に重ねられた状態で台紙５の絵柄１２の上に位置しかつ台紙５の絵柄１２とは異なる絵柄３３が設けられた粘着シール７（マスクシール７Ｂ）を含んでいる。このため、剥離シート６が台紙５に重ねられた状態において、台紙５の絵柄１２の一部を粘着シール７（マスクシール７Ｂ）で隠すことができる。
したがって、この実施の形態によれば、剥離シート６をめくって台紙５の絵柄１２を見る楽しみを与えることが可能な卓上カレンダー１（シール玩具）を提供することができる。
【００３５】
この実施の形態による台紙５の絵柄１２は、特定のキャラクター１３を示すものであって、かつキャラクター１３の特徴を説明する説明文１５を含むものである。台紙５の絵柄１２とは異なる絵柄３３が設けられた粘着シール７（マスクシール７Ｂ）は、剥離シート６が台紙５に重ねられた状態で説明文１５と重なる位置に位置付けられている。
【００３６】
このため、キャラクター１３の説明を粘着シール７（マスクシール７Ｂ）で隠すことができ、キャラクター１３に関する事項を問題としてクイズを行うことができる。
したがって、この実施の形態によれば、絵柄１２，３２〜３４を見たり粘着シール７を貼ったりするだけでなく、クイズをして楽しむことも可能な卓上カレンダー１（シール玩具）を提供することができる。
【００３７】
この実施の形態による台紙５の絵柄１２はカレンダー１６を含んでいる。カレンダー１６には、日付毎に第２〜第６の空所２２〜２６が設けられている。また、粘着シール７は、日付毎の第２〜第６の空所２２〜２６に貼付可能な大きさの粘着シール７（カレンダーシール７）を含んでいる。
このため、この実施の形態によれば、カレンダー１６の日付毎の第２〜第６の空所２２〜２６に粘着シール７を毎日貼って楽しむことが可能な卓上カレンダー１（シール玩具）を提供することができる。
【００３８】
この実施の形態による第２〜第６の空所２２〜２６に貼付可能な大きさの粘着シール７（カレンダーシール７）は、台紙５に重ねられた剥離シート６における日付毎の第２〜第６の空所２２〜２６と重なる位置に設けられている。
このため、この実施の形態によれば、剥離シート６を台紙５に重ねた状態で第２〜第６の空所２２〜２６が粘着シール７で満たされるようになるから、日付毎の粘着シール７を有するカレンダー１６を提供することができる。
上述した実施の形態においては、本考案を卓上カレンダー１に適用する場合の一例を示したが、本考案は、このような限定にとらわれることはない。すなわち、本考案に係るシール玩具は、例えば絵本によって構成したり、ノートによって構成することが可能である。
【符号の説明】
【００３９】
１…卓上カレンダー、４…リング、５…台紙、５ａ…前面（絵柄印刷面）、６…剥離シート、７…粘着シール、７Ａ…キャラクターシール、７Ｂ…マスクシール、７Ｃ…カレンダーシール、１２，３２〜３４…絵柄、１３…キャラクター、１７…第１の空所、２２…第２の空所、２３…第３の空所、２４…第４の空所、２５…第５の空所、２６…第６の空所。
【図１】
0003179946.tif 000003
【図２】
0003179946.tif 000004
【図３】
0003179946.tif 000005
【図４】
0003179946.tif 000006
【図５】
0003179946.tif 000007